(57)【要約】  本発明は、処理回路が電気的に接続されることで処理回路２２１に電力を供給する、複数の処理装置２２１が各供給箇所に接続された電源プレーンと、電源プレーンにそれぞれが電圧を印加することで電源プレーンを介して処理回路２２１に電力を供給する複数のＯＢＰ２２３と、複数のＯＢＰ２２３それぞれにおける印加電圧を、複数のＯＢＰ２２３のうちの他のＯＢＰ２２３における電力の供給状況を反映させて制御することで、上記供給箇所相互における電圧のばらつきを均す電源制御部２２４とを備えた。
2009037755.tif 000002
【特許請求の範囲】
【請求項１】
処理装置が電気的に接続されることで該処理装置に電力を供給する、複数の処理装置が各供給箇所に接続された電源プレーンと、
前記電源プレーンにそれぞれが電圧を印加することで該電源プレーンを介して前記処理装置に電力を供給する複数の電源と、
前記複数の電源それぞれにおける印加電圧を、該複数の電源のうちの他の電源における電力の供給状況を反映させて制御することで、前記供給箇所相互における電圧のばらつきを均す電源制御部とを備えたことを特徴とする電源装置。
【請求項２】
前記複数の電源それぞれにおける電力の供給状況を把握する状況把握部を備え、
前記電源制御部が、前記状況把握部で把握された各電源における電力の供給状況を用い、各印加電圧を、前記複数の電源のうちの他の電源における電力の供給状況を反映させて制御するものであることであることを特徴とする請求項１記載の電源装置。
【請求項３】
各々が電圧の印加を受けて処理を実行する複数の処理装置；および、
前記複数の処理装置それぞれが電気的に接続されることで該複数の処理装置それぞれに電力を供給する、該複数の処理装置が各供給箇所に接続された電源プレーンと、
前記電源プレーンにそれぞれが電圧を印加することで該電源プレーンを介して前記処理装置に電力を供給する複数の電源と、
前記複数の電源それぞれにおける印加電圧を、該複数の電源のうちの他の電源における電力の供給状況を反映させて制御することで、前記供給箇所相互における電圧のばらつきを均す電源制御部とを有する電源装置；
を備えたことを特徴とする電子機器。
【発明の詳細な説明】
【技術分野】
【０００１】
本発明は、処理装置に電力を供給する電源装置、および、そのような電源装置を搭載した電子機器に関する。
【背景技術】
【０００２】
従来から、通信機器やサーバ機器などといった電子機器には、各種処理を実行するＩＣ等に電力を供給する電源装置が備えられている。この電源装置に対しては、常に安定した電力を供給することが求められており、特に、ＩＣ等に出力される出力電圧を一定に調整することが要求されている。【０００３】
図１は、電子機器に電力を供給する電源装置の概略構成図である。【０００４】
この図１に示す電源装置１０は、増幅器や比較器などといったアナログ素子を利用してＩＣ等への出力電圧を制御するアナログ制御方式の電源装置である。【０００５】
電源装置１０には、電圧検出回路１１、誤差増幅器１２、補償回路１３、基準発振器１４、比較器１５、スイッチ素子１６、および平滑フィルタ１７などが備えられている。【０００６】
まず、電圧検出回路１１において、現時点に電源装置１０からＩＣ等に向けて出力される電源出力電圧Ｖｏｕｔが検出され、検出された出力電圧Ｖｏｕｔが誤差増幅器１２に伝えられる。誤差増幅器１２では、出力電圧Ｖｏｕｔと基準電圧Ｖ０との差分が増幅されて出力され、補償回路１３では、誤差増幅器１２から出力された増幅電圧Ｖｇが比較器１５の感度に適した値に調整される。【０００７】
基準発振器１４では、一定の周波数ごとに鋸状波の電圧信号Ｖｐが出力される。比較器１５では、基準発振器１４から発せられる鋸状波の電圧信号Ｖｐが、補償回路１３で調整された増幅電圧Ｖｇと比較され、鋸状波の電圧信号Ｖｐが増幅電圧Ｖｇよりも小さい間は「ＯＮ」となり、それ以外は「ＯＦＦ」となる制御信号がスイッチ素子１６に伝えられる。【０００８】
スイッチ素子１６では、比較器１５から伝えられた制御信号によってＯＮ／ＯＦＦが制御されることにより、電源装置１０に入力された入力電圧Ｖｉｎのパルス幅が調整され、平滑フィルタ１７において平滑処理が実行される。その結果、電源装置１０から電子機器に、電圧値が調整された出力電圧Ｖｏｕｔが出力される。例えば、電圧検出回路１１で検出された出力電圧Ｖｏｕｔが低下すると、誤差増幅器１２において算出される出力電圧Ｖｏｕｔと基準電圧Ｖ０との誤差が大きくなる。その結果、鋸状波の電圧信号Ｖｐが増幅電圧Ｖｇよりも小さくなって、比較器１５から発せられる制御信号の「ＯＮ」時間が長くなり、入力電圧Ｖｉｎのパルス幅が長く調整されることによって、出力電圧Ｖｏｕｔが上昇する。【０００９】
電源装置１０では、以上のようにして、処理部に出力される出力電圧が一定となるように制御される。【００１０】
ここで、電子機器では、電子機器を構成する各種部品やＩＣ等それぞれが、電力の供給をうけて動作している。これらの部品やＩＣ等では、各々が分担する処理における負荷の多寡によって消費電力が変化する。このような個別の負荷変動が、緩やかなものである場合には、１つの電源装置での包括的な制御により、各部品やＩＣ等での負荷変動を吸収して各部品やＩＣ等に印加する電圧を一定に保つことで必要な電力を供給し続けることが出来る。しかし、電子機器のうち通信機器やサーバ機器などでは、通信のトラフィック状態に連動して、通信処理を実行するＩＣ等での負荷が急激に変動してしまうことがあり、１つの電源装置での包括的な制御では、そのような局所における急激な負荷変動を吸収することが難しい。【００１１】
そこで、上記のような電源装置を複数用意し、各電源装置を、電子機器を構成する各種部品やＩＣ等それぞれの近傍に１つ以上並べて配置し、それら近傍に配置された電源装置によって、各種部品やＩＣ等それぞれに印加する電圧を個別に制御することで局所的な負荷変動を個別に吸収して、必要な電力の供給を個別に維持するという技術が提案されている（例えば、特許文献１参照。）。
【特許文献１】米国特許６６４６４２５号明細書
【００１２】
しかしながら、特許文献１に開示されている技術によって各種部品やＩＣ等それぞれに印加する電圧を個別に制御しても、ある電源装置の制御対象に隣接する部品等での負荷変動が大き過ぎるような場合には、その制御対象外の部品での負荷変動に引きずられて、自分の制御対象に対する正常な電力供給を維持しきれなくなるという問題が度々発生している。【００１３】
本発明は、上記事情に鑑み、電子機器を構成する各種部品やＩＣ等それぞれに対する電力供給を良好に行うことができる電源装置、および、そのような電源装置を搭載した電子機器を提供することを目的とする。
【発明の開示】
【００１４】
上記目的を達成する本発明の電源装置は、
処理装置が電気的に接続されることでその処理装置に電力を供給する、複数の処理装置が各供給箇所に接続された電源プレーンと、
上記電源プレーンにそれぞれが電圧を印加することでその電源プレーンを介して上記処理装置に電力を供給する複数の電源と、
上記複数の電源それぞれにおける印加電圧を、その複数の電源のうちの他の電源における電力の供給状況を反映させて制御することで、上記供給箇所相互における電圧のばらつきを均す電源制御部とを備えたことを特徴とする。
【００１５】
この本発明の電源装置によれば、上記複数の処理装置のうち一部の処理装置において、他の処理装置への電力制御に上記電源プレーンを介して影響を及ぼしかねない大きな負荷変動が生じた場合でも、その電源プレーンでの上記供給箇所相互における電圧のばらつきが均されるので、そのような負荷変動の、他の処理装置対する電力制御への波及が効果的に抑制される。これにより、各電源において、電力供給対象外の部品での負荷変動に引きずられて、自分の電力供給対象に対する正常な電力供給を維持しきれなくなるという問題を回避することができる。つまり、本発明の電源装置によれば、電子機器（処理装置）を構成する各種部品やＩＣ等それぞれに対する電力供給を良好に行うことができる。
【００１６】
ここで、本発明の電源装置において、
「上記複数の電源それぞれにおける電力の供給状況を把握する状況把握部を備え、
上記電源制御部が、上記状況把握部で把握された各電源における電力の供給状況を用い、各印加電圧を、上記複数の電源のうちの他の電源における電力の供給状況を反映させて制御するものであることである」という形態は好ましい形態である。
【００１７】
この好ましい形態の電源装置によれば、各印加電圧に対する、他の電源における電力の供給状況を反映させた制御を容易に行うことが出来る。
【００１８】
また、上記目的を達成する本発明の電子機器は、
各々が電圧の印加を受けて処理を実行する複数の処理装置；および、
上記複数の処理装置それぞれが電気的に接続されることでその複数の処理装置それぞれに電力を供給する、その複数の処理装置が各供給箇所に接続された電源プレーンと、
上記電源プレーンにそれぞれが電圧を印加することでその電源プレーンを介して上記処理装置に電力を供給する複数の電源と、
上記複数の電源それぞれにおける印加電圧を、その複数の電源のうちの他の電源における電力の供給状況を反映させて制御することで、上記供給箇所相互における電圧のばらつきを均す電源制御部とを有する電源装置；
を備えたことを特徴とする。
【００１９】
この本発明の電子機器によれば、この電子機器を構成する各種部品やＩＣ等それぞれに対する電力供給を良好に行うことができる
尚、本発明の電子機器については、ここでは基本形態のみを示すに止めるが、これは単に重複を避けるためであり、本発明の電子機器には、上記の基本形態のみではなく、前述した電源装置の各形態に対応する各種の形態が含まれる。
【００２０】
本発明によれば、電子機器を構成する各種部品やＩＣ等それぞれに対する電力供給を良好に行うことができる電源装置、および、そのような電源装置を搭載した電子機器を得ることができる。
【図面の簡単な説明】
【００２１】
【図１】電子機器に電力を供給する電源装置の概略構成図である。
【図２】本発明の一実施形態が適用された通信ユニットの外観斜視図である。
【図３】電子回路パッケージ２００を構成する保持板２１０の斜視図である。
【図４】保持板２１０に基板２２０が取り付けられた電子回路パッケージ２００の概略図である。
【図５】図２に示す複数の電子回路パッケージ２００の概略的な機能ブロック図である。
【図６】電子回路パッケージ２００における電力供給の流れを説明するための図である。
【図７】処理回路２２１と、処理回路２２１に電力を供給するＯＢＰ２２３、および図５にも示す電力制御部２２４の概略構成図である。
【図８】通信ユニットに搭載される複数の電子回路パッケージのうちの３つの電子回路パッケージの概略的な機能ブロック図である。
【図９】信号処理パッケージ４００＿３における電力供給の流れを説明するための図である。
【発明を実施するための最良の形態】
【００２２】
以下図面を参照して本発明の実施の形態を説明する。【００２３】
図２は、本発明の一実施形態が適用された通信ユニットの外観斜視図である。【００２４】
この通信ユニット１００は、本発明にいう電子機器の一例に相当し、ネットワークを介してデータの送受信を行うものであり、ユニットカバー１０１、ユニット枠１０２、およびバックパネル１０３と、それらが取り囲む空間内に収容された、処理を実行する複数の電子回路パッケージ２００とで構成されている。【００２５】
バックパネル１０３の内側には、データや電力を伝達するための各種コネクタ（図示しない）が設けられており、これらのコネクタが複数の電子回路パッケージ２００それぞれに設けられたコネクタに嵌合されることによって、複数の電子回路パッケージ２００が相互に接続される。【００２６】
複数の電子回路パッケージ２００は、ネットワークを介して送られてきた通信データに対して順次に処理を実行するものであり、前段の電子回路パッケージ２００における処理実行を受けて、後段の電子回路パッケージ２００における処理実行が開始される。また、各電子回路パッケージ２００は、ＩＣなどが取り付けられた基板２２０（図４参照）と、基板２２０を保持する保持板２１０（図３参照）とで構成されている。【００２７】
図３は、電子回路パッケージ２００を構成する保持板２１０の斜視図であり、図４は、保持板２１０に基板２２０が取り付けられた電子回路パッケージ２００の概略図である。【００２８】
保持板２１０には、保持板２１０を図２のユニット枠１０２に抜差しする際に手でつかむための把持部２１１、電子回路パッケージ２００に電力を投入するための電源コネクタ２１２ａ、基板２２０の反りを防止するための反り防止金具２１３、および各種データを送受信するためのデータ用コネクタ２１２ｂなどが備えられている。【００２９】
図４には、保持板２１０に基板２２０が装着された状態の電子回路パッケージ２００が示されている。基板２２０には、ＩＣなどといった複数の処理回路２２１、および複数の処理回路２２１それぞれに電力を供給するためのＯＢＰ２２３などが備えられており、基板２２０が保持板２１０に嵌め込まれ、保持板２１０の電源コネクタ２１２ａやデータ用コネクタ２１２ｂが基板２２０に挿し込まれることによって、基板２２０が保持板２１０に装着される。さらに、保持板２１０が図２に示すユニット枠１０２に嵌め込まれてバックパネル１０３のコネクタに接続されることによって、複数の電子回路パッケージ２００同士が相互に接続される。【００３０】
図５は、図２に示す複数の電子回路パッケージ２００の概略的な機能ブロック図である。【００３１】
電子回路パッケージ２００には、各ＯＢＰ２２３が処理回路２２１に印加する印加電圧を後述するように検出し、その検出した印加電圧と目標電圧との差を埋めるように各ＯＢＰ２２３における電力供給を制御する電力制御部２２４が備えられている。【００３２】
ここで、本実施形態では、複数の処理回路２２１は、設計上予定されている動作電圧は互いに同じであり、そのため、電子回路パッケージ２００の基板２２０には、全処理回路２２１が電気的に接続される共通の電源プレーンが設けられている。各ＯＢＰ２２３は、この共通の電源プレーンに電圧を印加することで、基板２２０上でそのＯＢＰ２２３の最も近傍に配置されている処理回路２２１を主たる電力供給対象として、その電源プレーンを介して電力を供給する。以下、この主たる電力供給対象を単に電力供給対象と呼ぶ。【００３３】
また、この電力制御部２２４には、所定の電流検出回路によって検出された各処理回路２２１に流れ込む電流の値が入力される。そして、これら入力された電流の値から各処理回路２２１で消費される電力が算出され、その算出結果が、各処理回路２２１について検出された電流値とともに、各処理回路２２１の処理負荷を示す回路情報として電力制御部２２４内のメモリ２２４＿１に記憶される。各処理回路２２１についての電流値の検出および各処理回路２２１の消費電力の算出は、所定の時間間隔で繰り返され、その繰返しの度にメモリ２２４＿１内の回路情報が更新される。【００３４】
また、電力制御部２２４内のメモリ２２４＿１には、各処理回路２２１に対する相対的な位置関係も含む基板２２０上での各ＯＢＰ２２３の位置を表わす位置情報も記憶されている。ここで、上記回路情報が示す各処理回路２２１の処理負荷が、本発明にいう「複数の電源それぞれにおける電力の供給状況」の一例に相当する。【００３５】
そして、この電力制御部２２４では、各ＯＢＰ２２３についての目標電圧が、上記の位置情報と、繰返し更新される回路情報とに基づいて、その更新の度に繰返し算出される。ここで、本実施形態では、この各ＯＢＰ２２３についての目標電圧の算出には、そのＯＢＰ２２３の電力供給対象である処理回路２２１での回路情報だけでなく、後述するように他のＯＢＰ２２３の電力供給対象である処理回路２２１での回路情報も反映される。【００３６】
電力制御部２２４では、繰返し算出される、各処理回路２２１での処理状況によっては時々刻々と変化する目標電圧を用いて、各ＯＢＰ２２３に対する上記の電力制御が行われる。この電力制御部２２４は、本発明にいう電源制御部と状況把握部とを兼ねた一例に相当し、ＯＢＰ２２３は、本発明にいう電源の一例に相当し、処理回路２２１は、本発明にいう処理装置の一例に相当する。【００３７】
また、電力制御部２２４のメモリ２２４＿１には、複数の処理回路２２１について共通に設計上予定されている動作電圧の値が、例えば、この電子回路パッケージ２００への電源投入直後の目標電圧（初期電圧）として記憶されており、電源投入直後の各ＯＢＰ２２３に対する電力制御ではこの初期電圧が使われる。【００３８】
図６は、電子回路パッケージ２００における電力供給の流れを説明するための図である。尚、この図６では、図５に示す複数の処理回路２２１については、図を見やすくするために図示が省略されている。【００３９】
複数のＯＢＰ２２３それぞれは、電子回路パッケージ２００外から図４に示す電源コネクタ２１２ａを介して投入される電力に基づいて、各処理回路２２１に供給する電力を生成する。図４の基板２２０には、各処理回路２２１が電気的に接続され電力の供給を受ける電源プレーン２２５が設けられており、図６では、この電源プレーン２２５が模式的に示されている。各ＯＢＰ２２３は、この電源プレーン２２５に電圧を印加することで、そのＯＢＰ２２３の近傍に配置された処理回路２２１に電源プレーン２２５を介して電力を供給する。【００４０】
電力制御部２２４では、各ＯＢＰ２２３が処理回路２２１に印加する印加電圧が検出されており、その検出した印加電圧と、各処理回路２２１での処理状況によっては時々刻々と変化する目標電圧との差を埋めるように各ＯＢＰ２２３における電力供給を制御する。【００４１】
ここで、仮に、全てのＯＢＰ２２３についての目標電圧が、本実施形態で初期電圧として使われる設計状の動作電圧に固定されているとする。このとき、相互に隣接する幾つかの処理回路２２１での処理負荷の合計が著しく増加しそれらの処理回路２２１に電流が集中すると、それらの処理回路２２１を電力供給対象とする複数のＯＢＰ２２３において、上記の動作電圧を目標とする電力制御では処理負荷を賄いきれず、結果的に、各ＯＢＰ２２３が印加電圧をその動作電圧に維持することができなくなるおそれがある。【００４２】
そこで、本実施形態では、目標電圧が可変となっているとともに、各ＯＢＰ２２３の目標電圧が、そのＯＢＰ２２３の電力供給対象の処理回路２２１における処理負荷だけでなく、その電力供給対象の処理回路２２１に隣接する他の処理回路２２１における処理負荷も含めた、一帯の処理回路２２１における処理負荷の合計に応じて算出されることとなっている。【００４３】
以下、この電力制御部２２４での目標電圧の算出について説明する。【００４４】
本実施形態では、各ＯＢＰ２２３に対する目標電圧の算出が、次のようなフィードバック処理によって行われる。【００４５】
あるＯＢＰ２２３に対する目標電圧の算出では、まず、現時点でメモリ２２４＿１に記憶されている、そのＯＢＰ２２３の電力供給対象の処理回路２２１に対する回路情報と、その処理回路２２１に隣接する他の処理回路２２１に対する回路情報とが読みだされる。ここで、この隣接する他の処理回路２２１に対する回路情報が示す処理負荷が、本発明にいう「他の電源における電力の供給状況」の一例に相当する。そして、それら読み出された回路情報それぞれが表わす処理負荷（本実施形態では、各処理回路２２１での消費電力）の合計が算出され、その合計と、上記の動作電圧を目標電圧としたときに賄いきれる上限負荷との差分に応じた目標電圧を算出する。【００４６】
このような算出により、相互に隣接する幾つかの処理回路２２１における処理負荷の合計が著しく増加したときには、それらの処理回路２２１を電力供給対象とする複数のＯＢＰ２２３それぞれの目標電圧が上記の動作電圧よりも高めに算出されることになる。そして、各ＯＢＰ２２３がその高めの目標電圧を目指して電力制御を行うことで、それら各ＯＢＰ２２３の印加電圧が実質的に動作電圧に維持される。その結果、電源プレーン２２５各所での印加電圧が上記の動作電圧に維持され、印加電圧のばらつきが均されることとなる。【００４７】
次に、ＯＢＰ２２３における印加電圧の制御について詳細に説明する。【００４８】
図７は、処理回路２２１と、処理回路２２１に電力を供給するＯＢＰ２２３、および図５にも示す電力制御部２２４の概略構成図である。【００４９】
尚、図７には、説明の簡略化のため、処理回路２２１とＯＢＰ２２３とが、各々１つずつ示されている。【００５０】
図７に示すように、電力制御部２２４には、ＡＤ（アナログ・デジタル）コンバータ３１１、デジタルフィルタ３１２、ＰＷＭ制御回路３１３、電力制御回路３１４、およびパルス発生器３１５が備えられており、ＯＢＰ２２３には、スイッチ素子３２１、および平滑化フィルタ３２２などが備えられている。【００５１】
処理回路２２１への供給電力を制御するにあたっては、基本的には、従来のアナログの電源装置と同様に、現時点よりも前に供給されていた電力に基づいて、現時点よりも後で供給される電力を制御するフィードバック処理が行われている。【００５２】
まず、ＡＤコンバータ３１１において、現時点よりも前にＯＢＰ２２３から処理回路２２１に印加された電圧が検出され、検出された電圧がデジタル信号に変換されて、デジタルフィルタ３１２に伝えられる。デジタルフィルタ３１２では、検出された電圧と上記の目標電圧との差分が算出され、その差分が平均化されて誤差信号が生成される。ここで、この目標電圧の算出は、上述したように上記の位置情報と回路情報とに基づいて行われるが、この算出は、電力制御回路３１４において行われ、算出された目標電圧がデジタルフィルタ３１２に渡されることとなる。【００５３】
デジタルフィルタ３１２で生成された誤差信号は、ＰＷＭ制御回路３１３に伝えられる。【００５４】
ＰＭＷ制御回路３１３では、パルス発振器３１５から発信されるパルス信号と、デジタルフィルタ３１２から伝えられた誤差信号とに基づいて、電力制御回路３１４から伝えられえた制御値に応じたパルス幅の制御信号が生成され、生成された制御信号がスイッチ素子３２１に伝えられる。【００５５】
スイッチ素子３２１では、ＰＷＭ制御回路３１３から伝えられた制御信号に従ってＯＮ／ＯＦＦが制御され、その結果、入力電圧のパルス幅が調整される。さらに、パルス幅が調整された電圧が平滑化フィルタ３２２を通過することによって、印加電圧が平滑化されて処理回路２２１に電力が供給される。【００５６】
例えば、印加電圧が低下すると、デジタルフィルタ３１２で生成される誤差信号の値が大きくなり、電力制御回路３１４においてパルス幅が長い制御信号が生成される。その結果、スイッチ素子３２１の「ＯＮ」時間が長くなり、印加電圧が上昇する。【００５７】
また、上述したように各ＯＢＰ２２３の目標電圧の算出には、そのＯＢＰ２２３の電力供給対象の処理回路２２１における処理負荷だけでなく、その処理回路２２１に隣接する他の処理回路２２１における処理負荷も反映される。これにより、処理負荷が大きくなっている一帯の処理回路２２１を電力供給対象とする複数のＯＢＰ２２３において目標電圧が大きくなり、これらのＯＢＰ２２３における上記の誤差信号の値が一層大きくなって印加電圧上昇の程度が増し、これらのＯＢＰ２２３における印加電圧の低下が回避されて、電源プレーン２２５内での印加電圧のばらつきが均されることになる。【００５８】
以上説明したように、本実施形態では、印加電圧に対するフィードバック処理および目標電圧に対するフィードバック処理によって、電源プレーン２２５内での印加電圧のばらつきが均され、各処理回路２２１に良好に電力が供給されることとなる。【００５９】
尚、目標電圧の算出は、上記のようなフィードバック処理に限るものではなく、以下に説明するようにフィードフォワード処理を用いたものであっても良い。以下、目標電圧の算出に、上記のフィードバック処理と併用して、フィードフォワード処理を用いた別形態について、図２から図７までを参照して説明した通信ユニット１００と同等な通信ユニットにこの別形態が適用されたものとして説明する。【００６０】
図８は、通信ユニットに搭載される複数の電子回路パッケージのうちの３つの電子回路パッケージの概略的な機能ブロック図である。【００６１】
尚、以下では、図８に示す３つの電子回路パッケージ４００＿１，４００＿２，４００＿３それぞれを構成する各種要素を、末尾に添えられた数字で区別して説明する。【００６２】
図８には、ネットワーク経由で送信されてきた光データを受信する光インタフェースパッケージ４００＿１と、光インタフェースパッケージ４００＿１で受信された光データをデジタルデータに変換する電気インタフェースパッケージ４００＿２と、電気インタフェースパッケージ４００＿２で変換されたデジタルデータに各種信号処理を施す信号処理パッケージ４００＿３とが示されている。この別形態においては、通信ユニット全体に対して電力が投入され、その電力が複数の電子回路パッケージ４００それぞれのＯＢＰ４０２に振り分けられた後、各電子回路パッケージ４００内でＯＢＰ４０２から処理回路４０１に電力が供給される。【００６３】
電気インタフェースパッケージ４００＿２には、処理実行時に処理回路４０１＿２に流れ込んだ電流値を検出する電流検出回路４０４＿２が備えられており、信号処理パッケージ４００＿３には、電気インタフェースパッケージ４００＿２の電流検出回路４０４＿２で検出された電流値を取得し、その取得した電流値に応じてＯＢＰ４０２＿３における電力供給を制御する電力制御部４０３＿３が備えられている。【００６４】
図９は、信号処理パッケージ４００＿３における電力供給の流れを説明するための図である。尚、この図９では、図８に示す複数の処理回路４０１＿３については、図を見やすくするために図示が省略されている。電力制御部４０３＿３は、本発明にいう電力制御部と状況把握部とを兼ねた一例に相当し、ＯＢＰ４０２＿３は、本発明にいう電源の一例に相当し、電源プレーン４０４＿３は、本発明にいう電源プレーンの一例に相当する。【００６５】
ここで、この信号処理パッケージ４００＿３におけるフィードバック処理については、上記の図６の電子回路パッケージ２００におけるフィードバック処理と同等であるので重複説明を省略し、フィードフォワード処理に注目して説明する。【００６６】
電力制御部４０３＿３には、前段の電気インタフェースパッケージ４００＿２から、その電気インタフェースパッケージ４００＿２の処理回路４０１＿２に流れ込んだ電流値が伝えられる。通常、処理対象である通信データの量が増加するほど処理の負荷が増大し、信号処理パッケージ４００＿３における複数の処理回路４０１＿３のうち、通信処理に関わる処理回路４０１＿３に大きな電流が流れ込むことが一般的である。前段の電気インタフェースパッケージ４００＿２に流れ込んだ電流値が伝えられることによって、複数の処理回路４０１＿３のうち、通信処理に関わる処理回路４０１＿３でこれから実行される処理の負荷を予測することができる。そして、各ＯＢＰ４０２＿３の目標電圧を算出する際には、この電流値が所定値より大きいと、通信処理に関わる処理回路４０１＿３およびその処理回路４０１＿３に隣接する他の処理回路４０１＿３を電力供給対象とする複数のＯＢＰ４０２＿３について目標電圧が高めに算出される。その結果、通信処理に関わる処理回路４０１＿３の処理負荷が実際に増加して、電源プレーン内で印加電圧のばらつきが発生する前に、各印加電圧が、電源プレーン４０４＿３内での均衡が保たれる方向に制御されることとなる。【００６７】
このように、この別形態によると、各処理回路４０１＿３における、現時点よりも前の処理負荷に基づいて、現時点よりも後に供給される電力が調整されるとともに（フィードバック制御）、前段の電気インタフェースパッケージ４００＿２における処理負荷に応じて電力供給が調整される（フィードフォワード制御）。以上に説明した別形態でも、上述したフィードバック処理のみを用いた実施形態と同様に、電源プレーン４０４＿３内での印加電圧のばらつきが均され、各処理回路４０１＿３に良好に電力が供給される。【００６８】
尚、上記では、本発明にいう電源制御部の一例として、各ＯＢＰについて目標電圧を、各処理回路での処理負荷に応じて算出する電力制御部２２４＿３，４０２を例示したが、本発明はこれに限るものではない。本発明の電源制御部は、例えば複数の処理装置の間で処理負荷の大小関係が固定的である場合に、その固定的な大小関係を考慮して設計段階で予め各ＯＢＰについて算出しておいた固定的な目標電圧を有し、それら各ＯＢＰ毎の固定的な目標電圧を使って供給電力を制御するものであっても良い。【００６９】
また、上記では、本発明の一実施形態として、複数のＯＢＰと複数の処理回路が一対一に対応する例を示したが、本発明はこれに限るものではなく、例えば、１つの処理回路に対して複数の電源が対応する形態であっても良く、複数の電源それぞれに複数の処理回路が対応する形態であっても良い。【００７０】
また、上記では、処理回路に印加される電圧の昇降を調整することによって、処理回路に供給される電力を制御する例について説明したが、本発明にいう電源制御部は、処理回路に供給される電流量を調整することによって、処理回路に供給される電力を制御するものであってもよい。
【図１】
2009037755.tif 000003
【図２】
2009037755.tif 000004
【図３】
2009037755.tif 000005
【図４】
2009037755.tif 000006
【図５】
2009037755.tif 000007
【図６】
2009037755.tif 000008
【図７】
2009037755.tif 000009
【図８】
2009037755.tif 000010
【図９】
2009037755.tif 000011
【国際調査報告】
2009037755.tif 000012
2009037755.tif 000013